(57)【要約】【課題】柱状物品、特に長さが異なる柱状物品を選択的に供給できる物品供給器を提供する。【解決手段】物品供給器１０は、物品を収容可能な第１の可動部１６と物品を収容可能で、かつ、第１の可動部１６に隣接して配置される第２の可動部１７とを備えている。第１の可動部１６と第２の可動部１７は、物品の供給が阻止される第１の位置と、第１の可動部１６及び第２の可動部１７からの物品の供給が許容される第２の位置と、前記第１の可動部からの前記物品の供給が許容され、かつ、前記第２の可動部からの前記物品の供給が阻止される第３の位置と、をとり得るように構成される。【選択図】図１
2019189352.tif 000002
【特許請求の範囲】
【請求項１】
第１の可動部と、
前記第１の可動部に隣接して配置される第２の可動部と、
前記第１の可動部及び前記第２の可動部を操作可能な操作部と、
を備える物品供給器であって、
前記第１の可動部と前記第２の可動部は、物品供給方向において前記第１の可動部及び前記第２の可動部の少なくとも何れかよりも長い第１の長さを有する第１の物品を収容可能であり、
前記第１の可動部及び前記第２の可動部の少なくとも何れかは、前記物品供給方向において前記第１の長さよりも短い第２の長さを有する第２の物品を収容可能であり、
前記操作部は、前記第１の可動部と前記第２の可動部の両方を動作可能とする第１の状態と、前記第１の可動部のみを動作可能とする第２の状態と、を選択可能であり、
前記第１の可動部及び前記第２の可動部は、前記第１の状態における前記操作部の操作により前記第１の物品の供給が許容される第１の位置と、前記第２の状態における前記操作部の操作により前記第２の物品の供給が許容される第２の位置と、をとり得るように構成される、
物品供給器。
【請求項２】
前記操作部は、前記第１の状態において、前記第１の可動部と前記第２の可動部の両方を押圧でき、前記第２の状態において、前記第１の可動部のみを押圧できるように構成される、
請求項１に記載の物品供給器。
【請求項３】
前記第１の可動部は、前記第１の物品及び前記第２の物品が移動可能な第１の通路を有し、
前記第２の可動部は、前記第１の物品及び前記第２の物品が移動可能な第２の通路を有し、
前記第１の位置をとる場合において、前記第１の通路と前記第２の通路は、連通し、
前記第２の位置をとる場合において、前記第１の通路と前記第２の通路は、連通しない、
請求項１または２に記載の物品供給器。
【請求項４】
前記第１の通路と前記第２の通路は、前記第１の位置をとる場合において、前記第１の物品及び第２の物品が移動可能である一方、前記第２の位置をとる場合において、前記第１の物品及び前記第２の物品が移動不可である、
請求項３に記載の物品供給器。
【請求項５】
前記第１の可動部と前記第２の可動部は、前記第１の物品及び前記第２の物品の供給が阻止される第３の位置をさらにとり得るように構成され、
前記第１の位置をとる場合において、前記第１の可動部及び前記第２の可動部は、前記第３の位置から移動し、
前記第２の位置をとる場合において、前記第１の可動部は前記第３の位置から移動し、前記第２の可動部は前記第３の位置から移動しない、
請求項３または４に記載の物品供給器。
【請求項６】
前記第２の可動部に収容される前記第２の物品は、前記第２の位置をとる場合において、前記第１の可動部によって移動が阻止される、
請求項３〜５のいずれか１項に記載の物品供給器。
【請求項７】
前記第２の通路と連通可能な第３の通路をさらに備え、
前記第２の通路は、前記第３の位置をとる場合において、前記第１の物品及び前記第２の物品が移動可能に前記第３の通路と連通する、
請求項５に記載の物品供給器。
【請求項８】
前記第３の通路は、前記第１の物品及び前記第２の物品を複数収容可能である、
請求項７に記載の物品供給器。
【請求項９】
前記第３の通路に収容された複数の前記第１の物品及び前記第２の物品は、一列に整列した状態で収容される、
請求項８に記載の物品供給器。
【請求項１０】
前記第１の通路と連通可能な第４の通路をさらに備え、
前記第１の通路は、前記第１の位置と前記第２の位置をとる場合において、第１の物品及び前記第２の物品が移動可能に前記第４の通路と連通する、
請求項９に記載の物品供給器。
【請求項１１】
前記第１乃至第４の通路の何れかの通路内にある前記第１の物品及び前記第２の物品は、前記第１乃至第４の通路内における前記第１の物品及び前記第２の物品の移動面が傾斜面となることを条件として、自重により移動可能である、
請求項１０に記載の物品供給器。
【請求項１２】
前記第１の可動部が前記第３の位置をとり得るよう付勢する第１の付勢部材と、前記第２の可動部が前記第３の位置をとり得るよう付勢する第２の付勢部材とをさらに備える、
請求項５に記載の物品供給器。
【請求項１３】
前記第１の可動部と前記第２の可動部が前記第１の位置をとる場合において、前記第１の通路と前記第２の通路の内部に挿入可能な挿入部をさらに備える、
請求項３に記載の物品供給器。
【請求項１４】
前記第１の物品と、前記第２の物品は、断面が略同じであり、
前記第１の可動部の前記第１の通路の長さと前記第２の可動部の前記第２の通路の長さとの和は、前記第１の物品の長さに対応し、前記第１の可動部の前記第１の通路の長さと前記第２の可動部の前記第２の通路の各々の通路の長さは、前記第２の物品の長さに対応する、
請求項３または１３に記載の物品供給器。
【請求項１５】
前記第１の物品と前記第２の物品は、合成樹脂を主成分とした消しゴムである、
請求項１〜１４のいずれか１項に記載の物品供給器。
【請求項１６】
請求項１〜１５のいずれか１項に記載の物品供給器と、前記第１の物品及び前記第２の物品を種類別に収容するための複数の物品収容器との組み合わせから成り、
前記物品供給器は、前記物品収容器を着脱可能に構成される、
物品供給器セット。
【請求項１７】
前記物品収容器は、有底筒状の収容器本体と、前記収容器本体に対し開閉可能に設けられる蓋部とから構成される、
請求項１６に記載の物品供給器セット。
【請求項１８】
前記物品収容器は、前記蓋部を開いた状態において、前記物品供給器に装着される、
請求項１７に記載の物品供給器セット。
【請求項１９】
請求項１〜１５のいずれか１項に記載の物品供給器と、前記第１の物品及び前記第２の物品を載置するための物品載置器との組み合わせから成り、
前記物品載置器は、前記第１の物品及び前記第２の物品を並べて載置するための物品載置部を備える、
物品供給器セット。
【請求項２０】
請求項１〜１５のいずれか１項に記載の物品供給器と、請求項１６〜１８のいずれか１項に記載の物品収容器と、請求項１９に記載の物品載置器との組み合わせから成る、
物品供給器セット。
【発明の詳細な説明】
【技術分野】
【０００１】
本発明は、物品供給器と、この物品供給器と物品収容器との組み合わせ等から成る物品供給器セットに関する。
【背景技術】
【０００２】
後記特許文献１には、小球体供給具と、小球体が収納された瓶と、小球体を載置するための基板とから成る点画作成玩具が開示されている。この点画作成玩具は、瓶内の小球体を小球体供給具の保持孔に入れた後、小球体供給具のボタンを押圧して保持孔内の小球体を排出孔に受け渡すことにより、小球体供給具の排出孔から供給された小球体を基板に載置して当該基板に点画を作成するものである。
【０００３】
しかしながら、後記特許文献１に開示されている小球体供給具は小球体を供給対象とするものであるため、柱状物品、特に長さが異なる柱状物品を選択的に供給することはできない。
【先行技術文献】
【特許文献】
【０００４】
【特許文献１】実用新案登録第２５５１７０９号公報
【発明の概要】
【発明が解決しようとする課題】
【０００５】
本発明が解決しようとする課題は、柱状物品、特に長さが異なる柱状物品を選択的に供給できる物品供給器と、この物品供給器と物品収容器との組み合わせ等から成る物品供給器セットを提供することにある。
【課題を解決するための手段】
【０００６】
本発明に係る物品供給器は、第１の可動部と、前記第１の可動部に隣接して配置される第２の可動部と、前記第１の可動部及び前記第２の可動部を操作可能な操作部と、を備えており、前記第１の可動部と前記第２の可動部は、物品供給方向において前記第１の可動部及び前記第２の可動部の少なくとも何れかよりも長い第１の長さを有する第１の物品を収容可能であり、前記第１の可動部及び前記第２の可動部の少なくとも何れかは、前記物品供給方向において前記第１の長さよりも短い第２の長さを有する第２の物品を収容可能であり、前記操作部は、前記第１の可動部と前記第２の可動部の両方を動作可能とする第１の状態と、前記第１の可動部のみを動作可能とする第２の状態と、を選択可能であり、前記第１の可動部及び前記第２可動部は、前記第１の状態における前記操作部の操作により前記第１の物品の供給が許容される第１の位置と、前記第２の状態における前記操作部の操作により前記第２の物品の供給が許容される第２の位置と、をとり得るように構成される。
【０００７】
また、本発明に係る物品供給器セットは、前掲の物品供給器と、前記第１の物品及び前記第２の物品を種類別に収容するための複数の物品収容器との組み合わせから成り、前記物品収容器は、前記物品収容器を着脱可能に構成される。さらに、本発明に係る物品供給器セットは、前掲の物品供給器と、前記第１の物品及び前記第２の物品を載置するための物品載置器との組み合わせから成り、前記物品載置器は、前記第１の物品及び前記第２の物品を並べて載置するための物品載置部を有する。さらに、本発明に係る物品供給器セットは、前掲の物品供給器と、前掲の物品収容器と、前掲の物品載置器との組み合わせから成る。
【発明の効果】
【０００８】
本発明によれば、柱状物品、特に長さが異なる柱状物品を選択的に供給できる物品供給器と、この物品供給器と物品収容器との組み合わせ等から成る物品供給器セットを提供することができる。
【図面の簡単な説明】
【０００９】
【図１】図１（Ａ）は本発明に係る物品供給器の側面図、図１（Ｂ）は図１（Ａ）の要部拡大縦断面図、図１（Ｃ）は図１（Ｂ）のＳ１−Ｓ１線拡大断面図である。
【図２】図２（Ａ）は図１（Ｂ）に示した操作部の外観斜視図、図２（Ｂ）は図１（Ｂ）に示した第１の可動部の外観斜視図、図２（Ｃ）は図１（Ｂ）に示した第２の可動部の外観斜視図である。
【図３】図３（Ａ）は本発明に係る第１の柱状物品の外観斜視図、図３（Ｂ）は本発明に係る第２の柱状物品の外観斜視図である。
【図４】図４は本発明に係る物品収容器の蓋部開放の外観斜視図である。
【図５】図５（Ａ）は本発明に係る物品載置器の側面図、図５（Ｂ）は図５（Ａ）のＳ２−Ｓ２線断面図である。
【図６】図６は図１に示した物品供給器による第１の柱状物品の供給操作の説明図である。
【図７】図７は図１に示した物品供給器による第１の柱状物品の供給操作の説明図である。
【図８】図８は図１に示した物品供給器による第２の柱状物品の供給操作の説明図である。
【図９】図９は図１に示した物品供給器による第２の柱状物品の供給操作の説明図である。
【図１０】図１０は物品載置部への物品の載置操作の説明図である。
【図１１】図１１は図１に示した物品供給器における物品の詰まり解消操作の説明図である。
【発明を実施するための形態】
【００１０】
《物品供給器１０：図１および図２》
まず、図１および図２を用いて、本発明に係る物品供給器１０について説明する。なお、この説明では、便宜上、図１（Ａ）の左側を前、右側を後、上側を上、下側を下と表記し、他の図についてもこれらに準じて向きを表記する。
【００１１】
物品供給器１０は、供給器本体１１と、供給器本体１１の前端に設けられた物品供給部１２と、供給器本体１１の後端に設けられた物品誘導部１３と、物品誘導部１３の後端に着脱可能に設けられた物品収容部１４と、供給器本体１１の上部に設けられた操作部１５と、供給器本体１１の内部に設けられた第１の可動部１６および第２の可動部１７と、供給器本体１１の下部に設けられた挿入部１８とを有している。この物品供給器１０は、内部が透けて見えるように、少なくとも供給器本体１１と物品供給部１２と物品誘導部１３と物品収容部１４と第１の可動部１６および第２の可動部１７とを透明または半透明とすることが好ましい。これは、物品供給器１０内に収容されている物品の長さや色等の種類の違いを物品供給器１０の外観上から把握し易くするためである。
【００１２】
なお、図１には、図示の便宜上、供給器本体１１と物品供給部１２と物品誘導部１３とを一体化したものを示したが、第１の可動部１６および第２の可動部１７等の組み込みのために供給器本体１１を複数の部品から構成して適宜結合しても良く、物品供給部１２と物品誘導部１３を供給器本体１１と別部品として当該供給器本体１１に取り付けるようにしても良い。
【００１３】
供給器本体１１は、その前端部を除く外形が円柱状を成し、前端部が丸みを帯びている。また、供給器本体１１の内部には、その後端から第２の可動部１７の後端に及ぶ物品整列通路（第３の通路）１１ａが設けられている。物品整列通路１１ａは例えば４角柱状であり、相対する２つの内面が上下方向で平行に向き合い、かつ、残りの２つの内面がこれらと直交する方向で平行に向き合っている。物品整列通路１１ａは、物品が自重により移動可能に収容できのであれば、その他の形状にすることも可能である。ちなみに、物品整列通路１１ａの中心線ＣＬ１１ａは、供給器本体１１の中心線（図示省略）と一致しておらず上側にシフトしている。
【００１４】
さらに、供給器本体１１の上部前側には、操作部１５の脚部１５ｂを前後方向に案内する矩形状の第１のスライド孔１１ｂが設けられている。さらに、供給器本体１１の下部には、挿入部１８の挿入操作部１８ａを前後方向に案内する細長い第２のスライド孔１１ｃが設けられている。さらに、供給器本体１１の内部前側には、第１の可動部１６と第２の可動部１７を上下方向に案内するガイド部１１ｄが対向して設けられている。
【００１５】
物品供給部１２は、その前部が供給器本体１１の前端から突出しており、当該突出部分の外形は先細りのノズル状を成している。また、物品供給部１２の後端は、第１の可動部１６の前端に及んでいる。さらに、物品供給部１２の内部には、物品整列通路１１ａと同じ縦断面形を有する物品供給通路（第４の通路）１２ａがその前端から後端に及んで設けられている。ちなみに、物品供給通路１２ａの中心線ＣＬ１２ａは、供給器本体１１の中心線（図示省略）と一致している。すなわち、物品供給通路１２ａと物品整列通路１１ａとは上下方向にずれている。
【００１６】
物品誘導部１３は、その前部の外形が例えば円錐状を成し、その後部の外形が例えば円柱状を成している。また、物品誘導部１３の内部には、物品整列通路１１ａの後端に向かって内径が減少することで滑らかに物品整列通路１１ａの後端に繋がるやや歪な円錐状を成す物品誘導室１３ａが、物品整列通路１１ａの後端と連通するように設けられている。さらに、物品誘導部１３の後端部には、物品収容部１４を着脱可能に嵌め込むための環状凸部１３ｂが設けられている。
【００１７】
物品収容部１４は、例えば有底円筒状を成し、物品収容室１４ａをその内部に有している。また、物品収容部１４の前端部には、物品誘導部１３の環状凸部１３ｂに着脱可能に嵌め込むための環状凹部１４ｂが設けられている。物品収容部１４の環状凹部１４ｂを物品誘導部１３の環状凸部１３ｂに嵌め込んだ状態では、当該物品収容部１４の物品収容室１４ａは物品誘導部１３の物品誘導室１３ａと連通し、複数の物品を収容可能な一体的な空間を形成する。
【００１８】
操作部１５は、矩形板状の操作部本体１５ａの下側に、外形が直方体状を成す脚部１５ｂを有している。また、脚部１５ｂの下面には、縦断面形がＴ字状を成すスライド溝１５ｃがその前端から後方に向かって設けられている。さらに、脚部１５ｂの下部は供給器本体１１の第１のスライド孔１１ｂ内に位置し、操作部本体１５ａは外部に露出している。ちなみに、脚部１５ｂの前後方向寸法は第１の可動部１６の前後方向寸法と第２の可動部１７の前後方向寸法の和よりも小さく、スライド溝１５ｃの前後方向寸法は脚部１５ｂの前後方向寸法よりも小さい。
【００１９】
第１の可動部１６は、その外形が例えば直方体状を成しており、その下面側に設けられた圧縮コイルバネ等の第１の付勢部材ＣＳ１によって上方に付勢されている。また、第の１可動部１６の内部には、物品整列通路１１ａと同じ縦断面形を有する第１の通路１６ａがその前端から後端に及んで設けられている。さらに、第１の可動部１６の上面には、縦断面形がＴ字状を成すスライド突起１６ｂがその前端から後方に向かって設けられており、当該スライド突起１６ｂは操作部１５のスライド溝１５ｃに前後方向に相対移動ができるように挿入されている。ちなみに、スライド突起１６ｂの前後方向寸法は、第１の可動部１６の前後方向寸法よりも小さく、かつ、スライド溝１５ｃの前後方向寸法よりも小さい。
【００２０】
第２の可動部１７は、その外形が例えば直方体状を成しており、第１の可動部１６の後側に隣接して配置され、その下面側に設けられた圧縮コイルバネ等の第２の付勢部材ＣＳ２によって上方に付勢されている。また、第２の可動部１７の内部には、物品整列通路１１ａと同じ縦断面形を有する第２の通路１７ａがその前端から後端に及んで設けられている。ちなみに、第２の可動部１７の前後方向寸法は第１の可動部１６の前後方向寸法と略同じである。
【００２１】
ここで、操作部１５と第１の可動部１６と第２の可動部１７の結合関係および基本動作について、図１と図６〜図９を引用して詳述する。
【００２２】
図１および図６に示した状態において、操作部１５は操作部本体１５ａを露出し、脚部１５ｂの下部を供給器本体１１の第１のスライド孔１１ｂに前後方向に移動できるように配置されている。また、操作部１５の脚部１５ｂはその後端を第１のスライド孔１１ｂの後端に接し、当該脚部１５ｂのスライド溝１５ｃには第１の可動部１６のスライド突起１６ｂが前後方向に相対移動ができるように挿入されている。
【００２３】
同状態において、第１の可動部１６は第１の付勢部材ＣＳ１によって上方に付勢され、スライド突起１６ｂを除く上面を操作部１５の脚部１５ｂの前部下面に接しており、第２の可動部１７は第２の付勢部材ＣＳ２によって上方に付勢され、その上面を操作部１５の脚部１５ｂの後部下面に接している。また、第１の可動部１６の第１の通路１６ａと第２の可動部１７の第２の通路１７ａは前後方向に連通していて、第２の通路１７ａの後端は物品整列通路１１ａの前端と向き合い、第２の通路１７ａは、物品が移動可能に物品整列通路１１ａと連通する。
【００２４】
図１および図６に示した状態で指先等によって操作部１５の操作部本体１５ａを下方に押圧すると、図７に示したように、当該操作部１５の脚部１５ｃによって第１の可動部１６と第２の可動部１７の両方が各付勢部材ＣＳ１およびＣＳ２の付勢力に抗して押圧されて下方に移動する。このときの移動方向は供給器本体１１のガイド部１１ｄによって案内され、移動量は操作部１５の操作部本体１５ａが供給器本体１１の外面に接することによって制限される。すなわち、第１の通路１６ａと第２の通路１７ａとが連通した状態のまま第１の可動部１６と第２の可動部１７の両方が下方移動して、第１の通路１６ａの前端が物品供給通路１２ａの後端と向き合い、第１の通路１６ａは、物品が移動可能に物品供給通路１２ａと連通する。
【００２５】
一方、図１に示した状態で操作部１５の操作部本体１５ａを前方にスライドさせると、図８に示したように、操作部１５の脚部１５ｂの後部下面が第２の可動部１７の上面から外れて、当該脚部１５ｂの後部下面が第１の可動部１６のスライド突起１６ｂを除く上面のみに接する位置に変化する。このときのスライド方向は供給器本体１１の第１のスライド孔１１ｂによって案内され、スライド量は操作部１５の脚部１５ｂの前端が第１のスライド孔１１ｂの前端に接することによって制限される。
【００２６】
図８に示した状態で指先等によって操作部１５の操作部本体１５ａを下方に押圧すると、図９に示したように、当該操作部１５の脚部１５ｃによって第１の可動部１６のみが第１の付勢部材ＣＳ１の付勢力に抗して押圧されて下方に移動する。このときの移動方向は供給器本体１１のガイド部１１ｄによって案内され、移動量は操作部１５の操作部本体１５が供給器本体１１の外面に接することによって制限される。すなわち、第１の通路１６ａと第２の通路１７ａとの連通を解きつつ第１の可動部１６のみが下方移動して、第１の通路１６ａの前端が物品供給通路１２ａの後端と向き合い、第１の通路１６ａは物品供給通路１２ａと物品が移動可能に連通する。ここで、第１の通路１６ａと第２の通路１７ａとの連通が解かれるため、第２の通路１７ａから第１の通路１６ａへの物品の移動はできなくなる。即ち、第２の可動部１７に物品が収容されていても、第１の可動部１６によって該物品の移動が阻止される。
【００２７】
つまり、第１の可動部１６と第２の可動部１７の両方を動作可能とする第１の操作状態と、第１の可動部１６のみを動作可能とする第２の操作状態と、を選択可能であり、第１の操作状態においては、第１の可動部１６と第２の可動部１７の両方を押圧でき、第２の操作状態においては、第１の可動部１６のみを押圧でき、操作部１５は、第１の操作状態と第２の操作状態とを切り替えられるようになっている。また、第１の可動部１６と第２の可動部１７は、操作部１５に対する操作に基づいて、（Ｐ３）第１の可動部１６及び第２の可動部１７からの物品の供給が阻止される第３の位置（図１および図６を参照）と、（Ｐ１）第１の可動部１６及び第２の可動部１７からの物品の供給が許容される第１の位置（図７を参照）と、（Ｐ２）第１の可動部１６からの物品の供給が許容され、かつ第２の可動部１７からの物品の供給が阻止される第２の位置（図９を参照）と、をとり得るように構成される。第３の位置をとる場合においては、第１の可動部１６及び第２の可動部１７は移動していない。このとき、第１の通路１６ａと第２の通路１７ａは物品が移動可能に連通し、第１の通路１６ａと物品供給通路１２ａは物品が移動可能に連通せず、第１の通路１６ａ及び第２の通路１７ａから物品供給通路１２ａへ物品が移動することはできない。したがって、第１の可動部１６及び第２の可動部１７からの物品の供給が阻止される。第１の位置をとる場合においてでは、第１の可動部１６及び第２の可動部１７が第３の位置から移動する。このとき、第１の通路１６ａと第２の通路１７ａと物品供給通路１２ａは物品が移動可能に連通し、第１の通路１６ａ及び第２の通路１７ａから物品供給通路１２ａへ物品が移動することが可能である。したがって、第１の可動部１６及び第２の可動部１７からの物品の供給が許容される。第２の位置をとる場合においては、第１の可動部１６のみが第３の位置から移動し、第２の可動部１７は第３の位置から移動しない。このとき、第１の通路１６ａと物品供給通路１２ａは物品が移動可能に連通し、第１の通路１６ａから物品供給通路１２ａへ物品が移動することができる一方、第１の通路１６ａと第２の通路１７ａは物品が移動可能に連通せず、第２の通路１７ａから第１の通路１６ａへ物品が移動することはできない。したがって、第１の可動部１６からの物品の供給が許容され、第２の可動部１からの物品の供給が阻止される。
【００２８】
なお、図１には物品整列通路１１ａと物品供給通路１２ａとのずれ量を各通路１２ａおよび物品整列通路１１ａの上下方向寸法よりも若干小さくしたものを示したが、当該ずれ量は、各通路１２ａおよび１１ａの上下方向寸法と同じであっても良いし、若干大きくても良い。また、図１には、操作部本体１５ａを下方に押圧したときの移動量を当該操作部本体１５ａが供給器本体１１の外面に接することによって制限したものを示したが、当該移動量は、第１の可動部１６と第２の可動部１７の下方移動を抑止する突起等によって制限することもできる。さらに、図１には操作部１５の操作部本体１５ａを前後方向にスライドさせたときのスライド量を操作部１５の脚部１５ｂの前後端が供給器本体１１の第１のスライド孔１１ｂの前後端に接することによって制限したものを示したが、当該スライド量は、操作部１５の脚部１５ｂの前後方向移動を抑止する突起等によって制限することもできる。
【００２９】
挿入部１８は、矩形板状の解消部本体１５ａの上端に、外形が例えば角柱状または略円柱状を成す棒状部１８ｂを有している。また、挿入操作部１８ａは、供給器本体１１の第２のスライド孔１１ｃに前後方向に移動できるように配置されていてその下端部は外部に露出するため、遊戯者の指先等で操作可能になっている。棒状部１８ｂは図示省略のガイド部によって供給器本体１１の物品整列通路１１ａの下側に配置される。図７に示す第３の位置Ｐ３においては、棒状部１８ｂの前端は、第２の可動部１７の後端より後側で第２の通路１７ａから上下方向においてずれた位置に配置されることより、挿入操作部１８ａの露出部分を指先等で前方にスライドさせたとしても、第２の可動部の第２の通路１７ａからずれた位置でスライド移動が阻止されることにより、棒状部１８ｂ前端の第２の可動部１７の後端より前方への移動ができないようになっている。これにより、操作部１５へ操作し、第２可動部１７を移動させない限り、所定距離以上に挿入部１８を前方に移動させることができず、遊戯者が意図しないときの挿入部１８の移動を防止可能となる。
【００３０】
挿入部１８は、図１１に示す第１の位置Ｐ１（図７を参照）において、挿入操作部１８ａの露出部分を指先等で前方にスライドさせることにより、棒状部１８ｂを、第２の可動部１７の第２の通路１７ａの後端から当該第２の通路１７ａおよび第１の可動部１６の第１の通路１６ａに挿入できるようになっている。棒状部１８ｂは、第２の通路１７ａおよび第１の通路１６ａに加えて、物品供給通路１２ａに挿入されてもよい。
【００３１】
《第１の柱状物品２１と第２の柱状物品２２：図３を参照》
次に、図３を用いて、前記物品供給器１０で供給可能な物品について説明する。前記物品供給器１０で供給可能な物品は、第１の柱状物品２１と第２の柱状物品２２を含む。
【００３２】
図３（Ａ）に示した第１の柱状物品２１は、例えば長さＬ２１＞幅Ｗ２１＝高さＨ２１の関係を有する直方体状を成し、図３（Ｂ）に示した第２の柱状物品２２は、例えば長さＬ２２＞幅Ｗ２１＝高さＨ２２の関係を有する直方体状を成している。第１の柱状物品２１の幅Ｗ２１と高さＨ２１と第２の柱状物品２２の幅Ｗ２２と高さＨ２２はとそれぞれ同じである。即ち、柱状物品の断面形状と断面積が略同じである。また、第１の柱状物品２１の長さＬ２１は第２の柱状物品２２の長さＬ２２の約２倍である。なお、第１の柱状物品２１の幅Ｗ２１と高さＨ２１は公差範囲内で僅かに異なっていても良いし、第２の柱状物品２１の幅Ｗ２２と高さＨ２２は公差範囲内で僅かに異なっていても良い。
【００３３】
また、第１の柱状物品２１の長さＬ２１は、第１の可動部１６の第１の通路１６ａの前後方向寸法（長さ）と第２の可動部１７の第２の通路１７ａの前後方向寸法（長さ）との和に対応している。さらに、第２の柱状物品２２の長さＬ２２は、第１の可動部１６の第１の通路１６ａの前後方向寸法（長さ）と第２の可動部１７の第２の通路１７ａの前後方向寸法（長さ）のそれぞれに対応している。さらに、第１の柱状物品２１の縦断面形と第２の柱状物品２２の縦断面形は、物品供給器１０の物品整列通路１１ａと物品供給通路１２ａと第１の可動部１６の第１の通路１６ａと第２の可動部１７の第２の通路１７ａのそれぞれの縦断面形よりも僅かに小さい。
【００３４】
すなわち、第１の柱状物品２１と第２の柱状物品２２は、物品供給器１０の物品整列通路１１ａと物品供給通路１２ａのそれぞれに長さ向きで挿入することができ、かつ、第１の通路１６ａ、第２の通路１７ａ、物品整列通路１１ａ、及び物品供給通路１２ａ内における移動面が傾斜面となることを条件として、長さ向きで自重移動させることができる。また、第１の物品２１は、第１の可動部１６の第１の通路１６ａと第２の可動部１７の第２の通路１７ａとが連通した状態において、連通した第１の通路１６ａおよび第２の通路１７ａの両方に亘って収容することができる。さらに、第２の柱状物品２２は、第１の通路１６ａと第２の通路１７ａのそれぞれに１つずつ収容することができる。
【００３５】
第１の柱状物品２１と第２の柱状物品２２は、例えば合成樹脂を主成分とする消しゴムであり、好ましくはＴＰＳ（スチレン系熱可塑性エラストマー）等を主成分とした熱融着可能な消しゴムである。また、第１の柱状物品２１と第２の柱状物品２２のそれぞれには色が異なるものがそれぞれ用意される。
【００３６】
《物品収容器３０：図４》
次に、図４を用いて、前記第１の柱状物品２１と前記第２の柱状物品２２を物品の長さや色の種類別に収容するために物品収容器３０ついて説明する。なお、この説明では、便宜上、図４の上側を上、下側を下収容と表記する。
【００３７】
物品収容器３０は、物品収容室４１ａをその内部に有する例えば有底円筒状の収容器本体３１と、収容器本体３１に開閉可能に設けられた蓋部３２とを有している。蓋部３２は、収容器本体３１から着脱可能としてもよい。この物品収容器３０は、内部が透けて見えるように、少なくとも収容器本体３１を透明または半透明とすることが好ましい。また、収容器本体３１の上端部には、蓋部３２の環状凸部３２ａを着脱可能に嵌め込むための環状凹部３１ｂが設けられている。
【００３８】
物品収容器３０の収容器本体３１の態様を物品供給器１０の物品収容部１４の態様と同じにしておけば、収容器本体３１を物品収容部１４として利用することができる。例えば、第１の柱状物品２１を色別に収容した物品器３０と第２の柱状物品２２を色別に収容した物品収容器３０を用意しておき、物品供給器１０の物品誘導部１３から物品収容部１４を外した後に好みの物品収容器３０の収容器本体３１を当該物品誘導部１３に嵌め込むことによって、物品供給器１０によって供給される物品の種類を簡単に変えることができる。
【００３９】
《物品載置器４０：図５》
次に、図５を用いて、前記第１の柱状物品２１と前記第２の柱状物品２２を載置するための物品載置器４０について説明する。この説明では、便宜上、図５（Ａ）の上側を上、下側を下と表記し、他の図についてもこれらに準じて向きを表記する。
【００４０】
物品載置器４０は、載置器本体４１の上面に、第１の柱状物品２１と第２の柱状物品２２を並べて載置するための物品載置部４２を有している。物品載置部４２は、底面を除く２つの内面が９０度を成し、かつ、残りの２つの内面が平行に向き合う凹部から成り、その深さは少なくとも第２の柱状物品２２の長さＬ２２よりも大きい。なお、物品載置部４２の外形は前記に限らず、正方形状や１つの角が９０度を成す２等辺三角形状等であっても良い。
【００４１】
《遊戯方法例：図１および図６〜図１１》
次に、図１および図６〜図１１を用いて、前記物品供給器１０と前記第１の柱状物品２１と前記第２の柱状物品２２と前記物品収容器３０と前記物品載置器４０を用いた遊戯方法について説明する。なお、ここで説明する遊戯方法はあくまでも一例であって、当該遊戯方法に制限されるものではなく、遊戯者によって適宜遊戯方法が選択されてよい。また、この説明では、便宜上、図１（Ａ）の左側を前、右側を後、上側を上、下側を下と表記し、他の図（図１０を除く）についてもこれらに準じて向きを表記する。
【００４２】
第１の柱状物品２１と第２の柱状物品２２が熱融着可能な消しゴムの場合を例に挙げると、遊戯に際しては、第１の柱状物品２１と第２の柱状物品２２が入っていない空の物品供給器１０（図１を参照）と、第１の柱状物品２１を色別に収容した物品収容器３０と第２の柱状物品２２を色別に収容した物品収容器３０と、物品載置器４０を用意して、物品載置器４０を物品載置部４２が上を向くように卓上等に置く。
【００４３】
第１の柱状物品２１を物品載置器４０の物品載置部４２に載置するときには、好みの色の第１の柱状物品２１が収納された物品収容器３０を選んで蓋部３２開くとともに、物品供給器１０の物品誘導部１３から物品収容部１４を外して、当該物品収容器３０の収容器本体３１を物品誘導部１３に嵌め込み、そして、物品供給器１０を物品供給部１２が下方にくる状態で揺り動かす。
【００４４】
これにより、図６に示したように、収容器本体３１（物品収容部１４）に収容されている第１の柱状物品２１が、物品誘導部１３の物品誘導室１３ａにより誘導されつつ、物品整列通路１１ａに長さ向きで順次挿入され、物品整列通路１１ａ内の移動面を傾斜面とすることで第１の柱状物品２１は下方に自重移動する。図６に示されるように、複数の第１の柱状物品２１は、物品誘導部１３によって誘導されることで、物品整列通路１１ａにおいて長さ向きで一列に整列した状態で収容可能となる。図６では、第１の可動部１６と第２の可動部１７は第３の位置Ｐ３（第１の通路１６ａと第２の通路１７ａとが第１の柱状物品２１が移動可能に連通し、第２の通路１７ａと物品整列通路１１ａが第１の柱状物品２１が移動可能に連通する位置）にあるため、物品整列通路１１ａを自重移動する先頭の第１の柱状物品２１は、連通した第１の通路１６ａおよび第２の通路１７ａに長さ向きで挿入される。また、図６では、連通した第１の通路１６ａおよび第２の通路１７ａに長さ向きで挿入された第１の柱状物品２１は、第１の可動部１６の前側に位置する物品供給部１２の後端に接するため、それ以上の自重移動が阻止され、第１の柱状物品２１が、連通した第１の通路１６ａおよび第２の通路１７ａに収容され、第１の可動部１６及び前記第
２の可動部１７からの第１の柱状物品２１の供給が阻止された状態となる。
【００４５】
続いて、物品供給部１２の前端を物品載置器４０の物品載置部４２の底面に向けて、指先等によって操作部１５の操作部本体１５ａを下方に押圧する。
【００４６】
これにより、図７に示したように、第１の可動部１６と第２の可動部１７が第３の位置Ｐ３から第１の位置Ｐ１（第１の通路１６ａと第２の通路１７ａとが第１の柱状物品２１が移動可能に連通し、第１の可動部１６と第２の可動部１７の両方が第３の位置Ｐ３から下方に移動し、第１の通路１６ａと物品供給通路１２ａとが第１の柱状物品２１が移動可能に連通する位置）に変化し、連通した第１の通路１６ａおよび第２の通路１７ａに収容されている第１の物品２１が物品供給通路１２ａに挿入されて下方に自重移動し、当該物品供給通路１２ａから供給された第１の柱状物品２１が物品載置部４２に載置される（図１０を参照）。
【００４７】
一方、第２の柱状物品２２を物品載置器４０の物品載置部４２に載置するときには、好みの色の第２の柱状物品２２が収容された物品収容器３０を選んで蓋部３２を開くとともに、物品供給器１０の物品誘導部１３から物品収容部１４を外して、当該物品収容器３０の収容器本体３１を物品誘導部１３に嵌め込み、そして、物品供給器１０を物品供給部１２が下方にくる状態で揺り動かす。
【００４８】
これにより、図８に示したように、収容器本体３１（物品収容部１４）に収容されている第２の物品２２が、物品誘導部１３の物品誘導室１３ａにより誘導されつつ、物品整列通路１１ａに長さ向きで順次挿入されて、物品整列通路１１ａ内の移動面を傾斜面とすることで第２の柱状物品２２は下方に自重移動する。図８に示されるように、複数の第２の柱状物品２２は、物品誘導部１３によって誘導されることで、物品整列通路１１ａにおいて、長さ向きで一列に整列した状態で収容可能となる。図８では、第１の可動部１６と第２の可動部１７は第３の位置Ｐ３（第１の通路１６ａと第２の通路１７ａとが第２の柱状物品２２が移動可能に連通し、第２の通路１７ａと物品整列通路１１ａとが第２の柱状物品２２が移動可能に連通する位置）にあるため、物品整列通路１１ａを自重移動する先頭の第２の柱状物品２２は、第１の柱状通路１６ａに長さ向きで挿入され、２番目の第２の柱状物品２２は、第２の通路１７ａに長さ向きで挿入される。また、図８では、第１の通路１６ａに長さ向きで挿入された第１の柱状物品２２は、第１の可動部１６の前側に位置する物品供給部１２の後端に接するため、それ以上の自重移動が抑止され、第２の柱状物品２２が、第１の通路１６ａと第２の通路１７ａのそれぞれに１つずつ収容された状態となる。
【００４９】
続いて、指先等によって操作部１５の操作部本体１５ａを前方にスライドさせて、操作部１５の脚部１５ｂの後部下面が第１の可動部１６のスライド突起１６ｂを除く上面のみに接する位置に変化させ（図８を参照）、この後、物品供給部１２の前端を物品載置器４０の物品載置部４２の底面に向けて、指先等によって操作部１５の操作部本体１５ａを下方に押圧する。
【００５０】
これにより、図９に示したように、第１の可動部１６と第２の可動部１７が第３の位置Ｐ３から第２の位置Ｐ２（第１の通路１６ａと第２の通路との連通が解かれ、第１の可動部１６のみが第３の位置Ｐ３から下方にずれていて、第１の通路１６ａと物品供給通路１２ａが連通する位置）に変化し、第１の通路１６ａに収容されている第２の柱状物品２２のみが物品供給通路１２ａに挿入されて下方に自重移動し、当該物品供給通路１２ａから供給された第２の柱状物品２２が物品載置部４２に載置される（図１０を参照）。
【００５１】
前記の供給操作の途中で、万が一、第１の可動部１６の第１の通路１６ａと第２の可動部１７の第２の通路１７ａと物品供給部１２の物品供給通路１２ａのいずれかに第１の柱状部品２１または第２の柱状物品２２が自重では動かない状態（詰まった状態）になった場合には、図１１に示したように、第１の可動部１６と第２の可動部１７を第３の位置Ｐ３から第１の位置Ｐ１（図７を参照）に変化させた後、挿入部１８の挿入操作部１５ａの露出部分を指先等で前方にスライドさせて、棒状部１８ｂを、第２の通路１７ａの後端から当該第２の通路１７ａおよび第１の通路１６ａ、必要に応じて物品供給通路１２ａにまで挿入して、詰まっていた第１の柱状部品２１または第２の柱状物品２２を物品供給通路１２ａから物品供給通路１２ａ外へ移動させる。
【００５２】
物品載置器４０の物品載置部４２への第１の柱状部品２１と第２の柱状物品２２の載置は、前記の供給操作を適宜繰り返すことによって行われる。つまり、遊戯者は、好みの色の第１の柱状部品２１と第２の柱状物品２２を物品載置器４０の物品載置部４２に並べて載置することにより、色によって文字や記号や絵や図形等が描かれ、かつ、長さの違いによって立体感が表現された消しゴム母体（図示省略）を作製する。
【００５３】
物品載置器４０の物品載置部４２上に消しゴム母体を作製した後は、当該消しゴム母体に少量の水を加えて専用蓋またはフィルム等で覆ってから物品載置器４０ごと電子レンジに入れて１分程度加熱する。これにより、消しゴム母体を構成する第１の柱状部品２１と第２の柱状物品２２が相互に熱融着して一体化されるため、やけどしない程度に温度が下がってから物品載置器４０の物品載置部４２から一体化された消しゴムを取り出し、余分な水分を拭き取る。
【００５４】
《作用効果：図無し》
前記物品供給器１０によれば、柱状物品、特に長さが異なる第１の柱状物品２１と第２の柱状物品２２を選択的に１つずつ供給することができる。また、第１の柱状物品２１と第２の柱状物品２２の選択的な供給を操作部１５の位置切り替えによって簡単に行うことができる。さらに、供給操作途中で、第１の柱状通路１６ａや第２の柱状通路１７ａ等に物品が詰まった場合でも、当該詰まりを挿入部によって簡単に解消することができる。
【００５５】
前記物品収容器３０によれば、収容器本体３１を物品供給器１０の物品収容部１４として利用できるため、物品供給器１０によって供給される物品の種類を簡単に変えることができる。
【００５６】
《部品供給器セット：図無し》
遊戯者に対し好適な部品供給器セットとしては、（Ｃ１）物品供給器１０と、第１の柱状物品２１と第２の柱状物品２２を種類別に収容するための物品収容器３０との組み合わせと、（Ｃ２）物品供給器１０と、第１の柱状物品２１と第２の柱状物品２２を載置するための物品載置器４０との組み合わせと、（Ｃ３）物品供給器と、第１の柱状物品２１と第２の柱状物品２２を種類別に収容するための物品収容器３０と、第１の柱状物品２１と第２の柱状物品２２を載置するための物品載置器４０との組み合わせ、を挙げることができる。
【００５７】
部品供給器セットＣ１は物品載置器４０を既に所持している遊戯者にとって有用であり、部品供給器セットＣ２は物品収容器３０を必要としない遊戯者にとって有用であり、部品供給器セットＣ３は初めて遊戯を行う遊戯者にとって有用である。勿論、物品供給器１０と、種々色の第１の柱状物品２１および第２の柱状物品２２と、物品収納器３０と、物品載置器４０は、単品で販売することによって遊戯者のニーズに答えることも可能である。
【符号の説明】
【００５８】
１０…物品供給器、１１…供給器本体、１１ａ…物品整列通路（第３の通路）、１１ｂ…第１のスライド孔、１１ｃ…第２のスライド孔、１１ｄ…ガイド部、１２…物品供給部、１２ａ…物品供給通路（第４の通路）、１３…物品誘導部、１３ａ…物品遊動室、１４…物品収容部、１４ａ…物品収容室、１５…操作部、１５ａ…操作部本体、１５ｂ…脚部、１５ｃ…スライド溝、１６…第１の可動部、１６ａ…第１の通路、１６ｂ…スライド突起、１７…第２の可動部、１７ａ…第２の通路、ＣＳ１…第１の付勢部材、ＣＳ２…第２の付勢部材、１８…挿入部、２１…第１の柱状物品、２２…第２の柱状物品、３０…物品収容器、３１…収容器本体、３１ａ…物品収容室、３２…蓋部、４０…物品載置器、４１…載置器本体、４２…物品載置部。
【図１】
2019189352.tif 000003
【図２】
2019189352.tif 000004
【図３】
2019189352.tif 000005
【図４】
2019189352.tif 000006
【図５】
2019189352.tif 000007
【図６】
2019189352.tif 000008
【図７】
2019189352.tif 000009
【図８】
2019189352.tif 000010
【図９】
2019189352.tif 000011
【図１０】
2019189352.tif 000012
【図１１】
2019189352.tif 000013